(57)【特許請求の範囲】
【請求項１】
電気エネルギーを蓄えるコンデンサと前記コンデンサに蓄えられた電気エネルギーを光に変える放電管と、前記放電管の発光の強度が設定値以上になると発光停止信号を出力し発光の強度が前記設定値より低くなると発光開始信号を出力することにより前記放電管の発光を制御する手段と、発光持続時間を制御する手段と、を有するフラット発光が可能な閃光装置において、
フラット発光開始時からフラット発光終了時にかけて、前記発光を制御する手段が前記設定値を増加させながらフラット発光を行うことを特徴とする閃光装置。
【請求項２】
前記発光を制御する手段は、前記コンデンサの充電電圧の減少に伴わせて前記設定値を増加させながらフラット発光を行うことを特徴とする請求項１記載の閃光装置。
【請求項３】
前記発光を制御する手段は、フラット発光開始からの時間の経過に伴わせて前記設定値を増加させながらフラット発光を行うことを特徴とする請求項１記載の閃光装置。
【請求項４】
前記発光を制御する手段は、フラット発光開始からの時間の経過と前記コンデンサの充電電圧の減少に伴わせて前記設定値を増加させながらフラット発光を行うことを特徴とする請求項１記載の閃光装置。
【発明の詳細な説明】
【０００１】
【発明の属する技術分野】
本発明は、カメラのフォーカルプレーンシャッターがスリット露光する場合でも、均一な光量で発光を持続するフラット発光が可能な閃光装置における、フラット発光の発光強度の制御に関するものである。
【０００２】
【従来の技術】
従来、フラット発光を行う場合には、メインコンデンサの充電エネルギーによって放電管を発光させ、放電管の発光の強度を制御する手段は発光強度が設定した値以上になると、ＩＧＢＴ回路等で構成する放電管の発光を制御する手段へ発光停止信号を送出し、放電管の発光を制御する手段は発光停止信号を受けて放電管の発光を停止させる。放電管の発光を停止したことにより放電管の発光強度が設定値以下になると、放電管の発光の強度を制御する手段は発光を制御する手段へ発光開始信号を送出し、放電管を再度発光させるという動作を繰り返してフラツト発光を持続させる。
【０００３】
この場合の発光の強度を制御する設定値は、図１１（ｂ）に示す発光の強度の設定値３０３のように、発光開始以前に設定した発光の強度の制御手段の設定値を、発光終了まで変化させない固定制御で行っている。
【０００４】
【発明が解決しようとする課題】
しかしながら、上記従来例では、発光の強度の制御手段が図１１（ｂ）の設定値３０３のように、フラット発光中一定の設定値により制御するので、発光波形は図１１（ａ）のような右下がりの発光波形となってしまう。これは発光開始時点３０１と発光終了時点３０２ではメインコンデンサの充電電圧が変化することによるもので、図１２の発光波形と制御信号の図に示すように、図１２（ａ）の発光開始時と図１２（ｂ）の発光終了時を比較すれば、発光停止信号（９０２、９０４がＨｉｇｈ→Ｌｏｗへ変化点）を受けてから、発光終了時点の方が発光開始時点より実際に発光の強度が下がるまでの光量が少なくなり、図１２（ａ）の９０５と図１２（ｂ）の９０６のような光量差が出てくる。
【０００５】
従って、図１１（ａ）の発光波形３０１〜３０２のように発光開始時に比べて発光終了時の方が発光の強度が弱くなって、発光開始時に比べ発光終了時ではフィルムの露光量が少なくなってしまうという問題があった。
【０００６】
本発明の目的は、発光の強度が一定に保たれるフラット発光が可能な閃光装置を提供することにある。
【００１０】
【課題を解決するための手段】
上記目的を達成するため、本出願に係る発明の目的を実現する構成は、電気エネルギーを蓄えるコンデンサと前記コンデンサに蓄えられた電気エネルギーを光に変える放電管と、前記放電管の発光の強度が設定値以上になると発光停止信号を出力し発光の強度が前記設定値より低くなると発光開始信号を出力することにより前記放電管の発光を制御する手段と、発光持続時間を制御する手段と、を有するフラット発光が可能な閃光装置において、フラット発光開始時からフラット発光終了時にかけて、前記発光を制御する手段が前記設定値を増加させながらフラット発光を行うものである。この構成によれば、フラット発光終了時とフラット発光開始時とで、発光の強度を一定に保つことができる。
【００２３】
【発明の実施の形態】
（第１の実施の形態）
図１〜図６は本発明の第１の実施の形態を示している。
【００２４】
図１は本実施の形態に係る閃光装置のブロック図である。
【００２５】
図１において、１０１は電源であるところの電池、１０２はＤＣ／ＤＣコンバータでマイクロコンピュータ１１１の出力端子ＤＣ／ＤＣ−ＯＮからの信号で電源１０１の電圧を昇圧する。１０３はＤＣ／ＤＣコンバータ１０２で昇圧した電気エネルギーを蓄積するメインコンデンサ、１０４と１０５はコンデンサ１０３の充電電圧を検出する分圧抵抗で、分圧点はマイクロコンピュータ１１１のＡ／Ｄ入力端子Ａ／Ｄ−１に接続している。
【００２６】
１０６はコイルでメインコンデンサ１０３とキセノン管１０７のアノード間に接続されている。１０７はメインコンデンサ１０３の電気エネルギーを光に変換するキセノン管、１０８はダイオードでそのアノードはキセノン管１０７のカソードにカソードはメインコンデンサ１０３に接続している。１０９はマイクロコンピュータ１１１の出力端子ＴＲＩの信号によりキセノン管１０７を励起状態にさせる既存のトリガ回路である。
【００２７】
１１０はキセノン管１０７のカソードとグランド間に接続してキセノン管１０７の発光を制御する発光制御回路、１１１はマイクロコンピュータ、１１２はマイクロコンピュータ１１１の出力端ＤＡ−ＯＵＴ  Ａ〜Ｈを入力とするＤ／Ａコンバータで、その出力はコンパレータ１１４の非反転入力へ接続している。１１３はキセノン管１０７の発光の強度を電圧出力に変換する発光強度モニタ回路で出力はコンパレータ１１４の反転入力端子に入力している。
【００２８】
１１４はコンパレータで出力を信号セレクタ１１５のＤ１端子に接続する。１１５は信号セレクタでＤ０、Ｄ２、Ｄ３入力はＧＮＤに接続し、セレクト端子Ａはマイクロコンピュータ１１１の出力端子ＯＵＴ−Ａに、セレクト端子ＢはＧＮＤに出力Ｙはマイクロコンピュータ１１１の入力端子ＳＴＯＰ−ＩＮに接続し、反転出力Ｗは発光制御回路１１０へ入力している。
【００２９】
１１６はプルアップ抵抗、１１７は電源スイッチでマイクロコンピュータ１１１の入力端子ＳＷ−ＯＮに接続して、オンすることでマイクロコンピュータ１１１が動作を開始する。１１８はＬＥＤ、１１９は抵抗、１２０〜１２３はカメラとの接続端子で、１２０はカメラからのデータのクロック端子でマイクロコンピュータ１１１の端子ＣＬＫ１に接続している。１２１はクロック端子１２０のクロック信号に同期したカメラからのデータ信号端子で、マイクロコンピュータ１１１の入力端子ＤＡＴＡ−ＩＮ１に接続している。１２２はクロック端子１２０のクロック信号に同期したストロボからカメラへの信号端子で、マイクロコンピュータ１１１の出力端子ＤＡＴＡ−ＯＵＴ１に接続している。１２３はカメラからの発光開始信号の入力端子で、マイクロコンピュータ１１１の入力端子ＳＴＡＲＴ／ＳＴＯＰ端子に接続している。
【００３０】
図２は図１に示す発光制御回路の回路図である。
図２において、２０１はＩＧＢＴでコレクタはキセノン管１０７のカソードに接続し、エミッタはＧＮＤに接続している。マイクロコンピュータ１１１の出力端子３０Ｖ−ＯＮは抵抗２１２を介してトランジスタ２１１のベースに接続されている。
【００３１】
信号セレクタ１１５の反転出力Ｗは抵抗２０７を介してトランジスタ２０５のベースに、抵抗２１５を介してトランジスタ２１３のベースに接続している。信号セレクタ１１５の反転出力ＷがＬｏｗ且つマイクロコンピュータ１１１の出力端子３０Ｖ−ＯＮがＨｉｇｈになるとトランジスタ２１１がオンして、トランジスタ２０８がオンし、図示していない３０Ｖ電源より抵抗２０３を通してＩＧＢＴ２０１のゲートをチャージして、ＩＧＢＴ２０１をオンするので、トリガー入力があればキセノン管１０７は発光を開始する。
【００３２】
次に、信号セレクタ１１５の反転出力端子Ｗが、Ｈｉｇｈになるとトランジスタ２１３がオンし、トランジスタ２１１、２０８がオフしてＩＧＢＴ２０１への通電を止めるとともに、トランジスタ２０５がオンして、抵抗２０４を介してＩＧＢＴ２０１のゲートのチャージを抜くのでＩＧＢＴ２０１がオフして発光の強度は低下する。
【００３３】
なお、以上の構成中、放電管の発光を制御する手段とは発光制御回路１１０の動作を指し、発光の強度を制御する手段とは発光強度モニタ回路１１３、コンパレータ１１４、マイクロコンピュータ１１１およびＤ／Ａコンバータ１１２による一連の動作を指し、可変制御手段は主に、補正テーブルを内臓したマイクロコンピュータ１１１内で行われる制御のための設定値の可変設定動作を指す。
【００３４】
図４は図１の閃光装置の動作のメインルーチンである。
つぎに図４以下のフローチャートを参照して動作を説明する。
先ず、電源スイッチ１１７のオンにより、マイクロコンピュータ（以下、マイコンと略す）１１１が動作を開始する（Ｓ１０１）。
【００３５】
マイコン１１１のＤＣ／ＤＣ−ＯＮ端子をＨｉｇｈにして、ＤＣ／ＤＣコンバータ１０２の動作を開始する（Ｓ１０２）。続いて、メインコンデンサ１０３の充電電圧が発光可能電圧に達したかを検出するために、マイコン１１１のＡ／Ｄ入力端子Ａ／Ｄ−１が、メインコンデンサ１０３の発光可能電圧を抵抗１０４、１０５で分圧した値であるＶ１以上になったかで判断する（１０３）。Ｖ１未満ならばマイコン１１１のＲＥＡＤＹ端子をＨにして、充電完了表示用のＬＥＤ１１８を消灯させ、ＳＴＡＲＴ／ＳＴＯＰ端子をＬｏｗにする図示していないカメラからの発光開始の割込みを禁止しＳ１０６へ進む（Ｓ１０４）。
【００３６】
また、Ｓ１０３でＶ１以上あった場合は、マイコン１１１のＲＥＡＤＹ端子をＬにして充電完了表示用のＬＥＤ１１８を点灯させ、発光開始の割込みを許可する（Ｓ１０５）。コンデンサ１０３の充電電圧が最大充電電圧に達したかを検出するため、マイコン１１１のＡ／Ｄ−１がコンデンサ１０３の最大充電電圧を抵抗１０４、１０５で分圧した値であるＶ２以上に達したかを判断する（Ｓ１０６）。
【００３７】
Ｖ２以上の場合は、マイコン１１１の出力端子ＤＣ／ＤＣ−ＯＮをＬｏｗにしてＤＣ／ＤＣコンバータ１０２を停止させＳ１０３へ戻る（Ｓ１０７）。Ｓ１０６でＶ２未満の場合はＳ１０２へ戻る。以上の動作を電源スイッチ１１７がオフされるまで続ける。
【００３８】
図５は図１の閃光装置のフラツト発光シーケンスのフローチャートである。
以下、図５を参照してフラット発光時の制御動作について説明する。カメラがＳＴＡＲＴ／ＳＴＯＰ端子をＬｏｗにすると割込みがかかり、フラット発光シーケンスがスタートする（Ｓ２０１）。
【００３９】
マイコン１１１の出力端Ｄ／Ａ−ＯＵＴＡ〜Ｈ端子をカメラからのシリアル通信により指示された設定値にセットする（Ｓ２０２）。この時点では、未だ発光していないので、Ｄ／Ａコンバータ１１２のＤ／Ａ−ＯＵＴの出力≧発光強度モニタ回路の出力、でありコンパレータ１１４の出力はＨｉｇｈである。
【００４０】
発光開始前のメインコンデンサ１０３の充電電圧ＶＳをマイコン１１１のＡ／Ｄ−１端子から読込む。
【００４１】
図６は設定値補正テーブルの１例である。この補正テーブルは設定値を補正するために、予め作成してマイコン１１１内に保持しているものである。
【００４２】
コンデンサの発光開始前充電電圧ＶＳを読込んだら、ＶＳ値と設定値補正テーブルよりＶＲＥＦを求めてセットする（Ｓ２０３）。このＶＲＥＦ（Ｖ）は、例えば、今読込んだＶＳ＝３０３Ｖとすれば、補正テーブル左欄の３０３Ｖ≦ＶＳ＜３３０Ｖの項より、ＶＲＥＦには２７８Ｖ、補正データ＝１をセットするといった手順となる。
【００４３】
ここで区別しておかなければならないことは、設定値テーブルの上段に３０３Ｖ〜１１７Ｖと１２段階に分けてＶＳとの対応を示したＶＲＥＦは、飽くまでもコンデンサの充電電圧ＶＳの変化を段階的に定量化して示した数値であって、未だマイコン１１１のＤ／Ａ−ＯＵＴＡ〜Ｈの設定値、つまり発光の強度を制御する設定値の可変補正そのものでは無いということである。（もちろんＶＲＥＦを求めてセットする作業は、発光の強度を制御する設定値の可変補正のための前処理であるから無関係ではない）
つづいて、マイコン１１１の出力端子３０Ｖ−ＯＮをＨｉｇｈにする（Ｓ２０４）。マイコン１１１の出力端子ＯＵＴ−ＡをＨｉｇｈにする（Ｓ２０５）。これによって、信号セレクタ１１５はＤ端子が選択され出力ＹがＨｉｇｈ、反転出力ＷはＬｏｗになりトランジスタ２１３、２０５がオフ、トランジスタ２１１と２０８はオンするので、ＩＧＢＴ２０１はオンとなる。
【００４４】
次に、マイコン１１１の出力端子ＴＲＩに所定時間Ｈｉｇｈを出力する（Ｓ２０６）。トリガ回路１０９はキセノン管１０７に高電圧のトリガ信号を加えキセノン管１０７は発光を始める。
【００４５】
フラット発光の発光時間を制御するタイマーをスタートさせる（Ｓ２０７）。発光開始後、発光強度モニタ回路１１３はキセノン管１０７の光を受けて発光の強度に応じた出力をする。発光強度モニタ回路１１３の出力が設定されたＤ／Ａコンバータ１１２の出力Ｄ／Ａ−ＯＵＴより大きくなると、コンバレータ１１４の出力は反転してＬｏｗになり、信号セレクタ１１５の出力ＹはＬｏｗになり、反転出力ＷはＨｉｇｈとなってトランジスタ２１３，２０５がオンしてＩＧＢＴ２０１はオフする。ＩＧＢＴ２０１がオフするとコイル１０６に溜まったエネルギーがコイル１０６→キセノン管１０７→ダイオード１０８と流れるため、発光強度モニタ回路１１３の出力はＩＧＢＴ２０１がオフした後少し遅れて下がり始める。発光強度モニタ回路１１３の出力が設定されたＤ／Ａコンバータ１１２の出力Ｄ／Ａ−ＯＵＴより下がると、コンパレータ１１４の出力はＨｉｇｈになって信号セレクタ１１５の出力ＹはＨｉｇｈ、反転出力ＷはＬｏｗとなりＩＧＢＴ２０１は再びオンする。この時キセノン管１０７は未だ発光中なので、ＩＧＢＴ２０１がオンしたことによりコンデンサ１０３のエネルギーは、コンデンサ→コイル→キセノン管→ＩＧＢＴ→ＧＮＤと流れるので、発光量は再び増加し発光強度モニタ回路１１３の出力もこれに応じて大きくなる。この一連の動作を繰り返してフラット発光を持続する。
【００４６】
続いて、再びメインコンデンサ１０３の電圧ＶＳを抵抗１０４、１０５で分圧してマイコン１１１の端子Ａ／Ｄ−１より読込み、先にセットしたＶＲＥＦと比較して、今回のメインコンデンサ１０３の電圧ＶＳがＶＲＥＦより小さいか否かを判断する（Ｓ２０８）。
【００４７】
メインコンデンサ１０３の電圧がＶＲＥＦより小さかった場合、仮に、ＶＳ＝３３０Ｖであり、ＶＲＥＦ＝２７８Ｖの場合は設定値補正テーブルからは、メインコンデンサの充電電圧の変化に対応する設定値の補正データとして、“１”を読出すことができる。
【００４８】
この“１”を、Ｓ２０２で設定したマイコン１１１のＤ／Ａ−ＯＵＴＡ〜Ｈの設定値にデータ加算して再セットすることにより、発光の強度を制御する設定値の補正を行う（Ｓ２０９）。
【００４９】
続いて、例えば、ＶＲＥＦ＝２７８Ｖだとすれば、先に設定したＶＲＥＦ＝２７８Ｖを、今回のＶＲＥＦ＝２５５Ｖに書換える（Ｓ２１０）。
【００５０】
このように、設定値補正テーブルを用いた可変制御では、メインコンデンサの充電電圧の変化についてはＶＲＥＦとしてデクリメント制御になり、発光の強度の設定値については充電電圧の低下に対応するインクリメント制御となる。これをイメージ的に示すと次の図３のようになる。
【００５１】
図３は図１に示す閃光装置のフラット発光波形を示す図である。
図３のように、本実施の形態の補正テーブルを用いた可変制御では、図３（ｂ）のように発光の強度の設定値４０３は、コンデンサの充電電圧の変化に対して段階的に高くなるようにインクリメント補正されているので、その発光波形も図３（ａ）のように図１１（ａ）の従来例の発光波形と比較したら、発光の強度は４０１〜４０２のように一定で、よりフラットな発光を保つことができる。
【００５２】
また、Ｓ２０８でＶＳがＶＲＥＦより大きい場合又はＳ２１０の終了後は、カメラからのシリアル通信により指示されたフラット発光の発光時間ＴＦＰとＳ２０７でスタートしたタイマーを比較して（Ｓ２１１）、発光終了時間になっていれば、マイコン１１１の出力端子３０Ｖ−ＯＮをＬｏｗにする（Ｓ２１２）。
【００５３】
次に、ＯＵＴ−ＡをＬｏｗにしてＩＧＢＴ２０１をオフする（Ｓ２１３）。以上でフラット発光の割込み処理を終了してメインルーチンに戻る（Ｓ２１４）。このように、本実施の形態によれば、設定値補正テーブルを使用して発光の強度の設定値を可変補正してフラット発光を制御するようにしたので、図３に示すように従来例に比較してよりフラットな発光が可能になった。
【００５４】
また、図３に示す例では設定値の補正データとＶＲＥＦ等の電圧間隔は段階的表示となつているが、例えば、補正データはコンデンサの充電電圧に基づく関数計算による連続値として表わしてもよい。
【００５５】
（第２の実施の形態）
次に第２の実施の形態について説明する。
【００５６】
図７は第２の実施の形態に係る閃光装置のフラット発光シーケンスのフローチャートである。
【００５７】
図８は第２の実施の形態の閃光装置の時間補正テーブルの１例を示す図である。
【００５８】
その他、第２の実施の形態を表す図として、図１、図２は第１の実施の形態と共通であり、更に構成および図４のメインルーチンも第１の実施の形態と同じなので、これらについての重複する説明は省略する。
【００５９】
つぎに図７、８を参照してフラット発光時の動作について説明する。
カメラがＳＴＡＲＴ／ＳＴＯＰ端子をＬｏｗにすると割込みがかかり、フラット発光シーケンスを実行する（Ｓ３０１）。
【００６０】
マイコン１１１の出力端子Ｄ／Ａ−ＯＵＴＡ〜Ｈ端子をカメラからのシリアル通信により指示された設定値にセツトする（Ｓ３０２）。この時点では未発光のため、Ｄ／Ａコンバータ１１２のＤ／Ａ−ＯＵＴの出力≧発光強度モニタ回路の出力、なのでコンパレータ１１４の出力はＨｉｇｈである。
【００６１】
次に、図８の時間補正テーブルよりＤ／Ａ−ＯＵＴの設定値の補正を行う発光開始からの時間ＴＣＤＡを１ｍＳにセットする（Ｓ３０３）。第２の実施の形態では、例えば、コンデンサの充電電圧の逓減カーブは略一定とみなし、所定の時間間隔により設定値の補正制御を行うものである。
【００６２】
また、この補正テーブルでは補正間隔を１ｍＳの等間隔に設定しているが、間隔の設定は自由であって広くても狭くても、又等間隔ではなくても構わない。
【００６３】
マイコン１１１の出力端子３０Ｖ−ＯＮをＨｉｇｈにする（Ｓ３０４）。続いて、マイコン１１１の出力端子ＯＵＴ−ＡをＨｉｇｈにする（Ｓ３０５）．これによって信号セレクタ１１５のＤ１端子が選択され、反転出力ＷはＬｏｗになってＩＧＢＴ２０１がオンする。
【００６４】
マイコン１１１の出力端子ＴＲＩに所定時間Ｈｉｇｈを出力し、トリガ回路１０９よりキセノン管１０７を発光させる（Ｓ３０６）。フラット発光の発光時間を制御するタイマーをスタートさせる（Ｓ３０７）。
【００６５】
フラット発光の動作は前実施の形態の場合と同じで、発光開始後、発光強度モニタ回路１１３の出力がＤ／Ａコンバータ１１２の出力Ｄ／Ａ−ＯＵＴより大きくなると、コンパレータ１１４の出力は反転してＬｏｗになり反転出力ＷがＨｉｇｈとなって、ＩＧＢＴ２０１はオフする。発光強度モニタ回路１１３の出力はＩＧＢＴ２０１がオフしてから少し遅れて下がり始め、発光強度モニタ回路１１３の出力がＤ／Ａコンバータ１１２の出力Ｄ／Ａ−ＯＵＴより下がると、コンパレータ１１４の出力はＨｉｇｈになり反転出力ＷはＬｏｗになって、ＩＧＢＴ２０１が再びオンする。こうして再びコンデンサ１０３からエネルギーが流れて発光量が再び増加し、フラット発光を持続することになる。
【００６６】
フラット発光タイマと、Ｄ／Ａ−ＯＵＴの設定値の補正を行う発光開始からの時間ＴＣＤＡとの比較を行い、フラット発光タイマの値がＴＣＤＡの値より小さければＳ３１１へ進む（Ｓ３０８）。
【００６７】
フラット発光タイマの値がＴＣＤＡ以上の時は、Ｓ３０２でセットしたＤ／Ａ−ＯＵＴＡ〜Ｈの設定値に、図８の時間補正テーブルに示すＴＣＤＡ（図８の例では１〜１２ｍＳまで１２段階等１ｍＳ間隔）に応じた補正データ（図８の例では、対応する補正データは“１”〜“４”）のデータ加算を行って、Ｄ／Ａ−ＯＵＴＡ〜Ｈを再セットすることにより設定値の補正を行う（Ｓ３０９）。
【００６８】
Ｓ３０３でセットしたＴＣＤＡを次のＴＣＤＡに変更する（Ｓ３１０）。カメラからのシリアル通信により指示されたフラツト発光の発光時間ＴＦＰと、Ｓ３０７でスタートしたタイマーを比較する（Ｓ３１１）。発光終了時間になっていればマイコン１１１の出力端子３０Ｖ−ＯＮをＬｏｗにする（Ｓ３１２）。続いて、出力端子ＯＵＴ−ＡをＬｏｗにしてＩＧＢＴ２０１をオフし（Ｓ３１３）、割り込み処理を終了してメインルーチンに戻る（Ｓ３１４）。
【００６９】
このように、第２の実施の形態によれば、時間補正テーブルによる簡単な可変制御によって、図３のように発光の強度をフラットに保つことができる。
【００７０】
また、第２の実施の形態では、補正データと経過時間の関連は段階的に表しているが、補正データを経過時間に基づく関数演算による連続値として表し制御するようにしてもよい。
【００７１】
（第３の実施の形態）
次に本発明の第３の実施の形態について説明する。
【００７２】
図９は第３の実施の形態に係る閃光装置のフラット発光シーケンスのフローチャートである。
【００７３】
図１０は図９の閃光装置の電圧・時間補正テーブルの１例を示す図である。
【００７４】
その他、図１、図２は第１の実施の形態と共通であり、更に、構成およびメインルーチンについても第１の実施の形態と同じなので、これらについては重複する説明は省略する。
【００７５】
つぎに図９、１０を参照してフラット発光動作について説明する。
カメラがＳＴＡＲＴ／ＳＴＯＰ端子をＬｏｗにすると割込みがかかり、フラット発光シーケンスを実行する（Ｓ４０１）。
【００７６】
マイコン１１１の出力端子Ｄ／Ａ−ＯＵＴＡ〜Ｈ端子をカメラからのシリアル通信により指示された設定値にセットする（Ｓ４０２）。この時点では未発光なので、コンパレータ１１４の出力はＨｉｇｈである。
【００７７】
発光開始前のメインコンデンサの充電電圧ＶＳを、抵抗１０４、１０５で分圧してマイコン１１１のＡ／Ｄ−１で読込む（Ｓ４０３）。図１０に示す電圧・時間補正テーブルより、次にＤ／Ａ−ＯＵＴの設定値を補正する発光開始からの時間ＴＣＤＡを１ｍＳにセットする（Ｓ４０４）。第３の実施の形態は、メインコンデンサの発光前充電電圧と、フラット発光開始からの経過時間の両方から補正テーブルを作成し、電圧および時間からよりフラットな制御を目指している。なお、ここでは設定値の補正を行う間隔を１ｍＳ毎の等間隔に設定したが、時間間隔はそれより広くても狭くても、又等間隔ではなくても構わない。
【００７８】
マイコン１１１の出力端子３０Ｖ−ＯＮをＨｉｇｈにする（Ｓ４０５）。続いて、マイコン１１１の出力端子ＯＵＴ−ＡをＨｉｇｈにする（Ｓ４０６）。これによって信号セレクタ１１５はＤ１端子が選択され、反転出力ＷはＬｏｗになってＩＧＢＴ２０１がオンする。
【００７９】
マイコン１１１の出力端子ＴＲＩに所定時間Ｈｉｇｈ出力し、トリガ回路１０９を介しキセノン管１０７を発光させる（Ｓ４０７）。フラット発光の発光時間を制御するタイマーをスタートさせる（Ｓ４０８）。
【００８０】
フラット発光そのものの動作は前実施の形態の場合と同じで、発光開始後、発光強度モニタ回路１１３の出力が、Ｄ／Ａコンバータ１１２の出力Ｄ／Ａ−ＯＵＴより大きくなると、コンパレータ１１４の出力は反転してＬｏｗになり反転出力ＷはＨｉｇｈになりＩＧＢＴ２０１はオフになる。発光強度モニタ回路１１３の出力はＩＧＢＴ２０１がオフしてから少し遅れて下がり始めて、発光強度モニタ回路１１３の出力がＤ／Ａコンバータ１１２の出力Ｄ／Ａ−ＯＵＴより下がると、信号セレクタ１１５の反転出力ＷはＬｏｗとなりＩＧＢＴ２０１は再びオンして、コンデンサ１０３からのエネルギーが再び流れ始め、発光量が再び増加してフラット発光が持続する。
【００８１】
フラット発光タイマと、Ｄ／Ａ−ＯＵＴの設定値の補正を行う発光開始からの時間ＴＣＤＡを比較して、フラット発光タイマの値がＴＣＤＡより小さければＳ４１２に進む（Ｓ４０９）。
【００８２】
フラット発光タイマの値がＴＣＤＡの値以上の場合は、Ｓ４０２でセットしたＤ／Ａ−ＯＵＴＡ〜Ｈの設定値に、図１０の電圧・時間補正テーブルよりＶＳとＴＣＤＡに応じた補正データを得てデータ加算を行って、設定値を補正する（Ｓ４１０）。次に、補正を行う発光開始からの時間ＴＣＤＡを書換変更する（Ｓ４１１）。
【００８３】
カメラからのシリアル通信によって指示されたフラット発光の発光時間ＴＦＰと、Ｓ４０８でスタートしたタイマーを比較する（Ｓ４１２）。発光終了時間になっていれば、マイコン１１１の出力端子３０Ｖ−ＯＮをＬｏｗにする（Ｓ４１３）。続いて、ＯＵＴ−ＡをＬｏｗにしてＩＧＢＴ２０１をオフにする（Ｓ４１４）。割り込みを終了してメインルーチンに戻る（Ｓ４１５）。
【００８４】
このように、第３の実施の形態によれば、メインコンデンサの発光開始電圧とフラット発光開始からの時間より補正テーブルを作成して、両方から発光の強度の設定値を補正するので、より細かな補正制御が可能になる。
【００８５】
また、ここでは補正値と発光からの時間との関連が段階的に表されているが、補正値は発光からの時間に基づく関数演算により連続的に表すようにしても構わない。
【００８６】
【発明の効果】
以上説明したように、本発明によれば、発光の強度と設定値を比較して発光開始信号、発光停止信号を出力する制御手段が、設定値を増加させながらフラット発光制御を行うため、発光の強度が一定に保たれるフラット発光が可能な閃光装置を提供できる。
【図面の簡単な説明】
【図１】本発明の第１の実施の形態に係る閃光装置のブロック図である。
【図２】図１に示す発光制御回路の回路図である。
【図３】図１に示す閃光装置のフラット発光の発光波形を示す図である。
【図４】図１に示す閃光装置の動作のメインルーチンである。
【図５】図１に示す第１の実施の形態に係る閃光装置のフラット発光シーケンスのフローチャートである。
【図６】図５に示す第１の実施の形態に係る閃光装置の設定値補正テーブルの１例を示す図である。
【図７】本発明の第２の実施の形態に係る閃光装置のフラット発光シーケンスのフローチャートである。
【図８】図７に示す閃光装置の時間補正テーブルの１例を示す図である。
【図９】本発明の第３の実施の形態に係る閃光装置のフラット発光シーケンスのフローチャートである。
【図１０】図９に示す閃光装置の電圧・時間補正テーブルの１例を示す図である。
【図１１】従来の閃光装置のフラット発光波形を示す図である。
【図１２】従来の閃光装置のフラット発光波形と制御信号を示す図である。
【符号の説明】
１０１  電源
１０２  ＤＣ／ＤＣコンバータ
１０３  メインコンデンサ
１０４，１０５  分圧抵抗
１０６  コイル
１０７  放電管
１０８  ダイオード
１０９  トリガ回路
１１０  発光制御回路
１１１  マイクロコンピュータ
１１２  Ｄ／Ａコンバータ
１１３  発光強度モニタ回路
１１４  コンパレータ
１１５  信号セレクタ
１１６，１１９  抵抗
１１７  電源スイッチ
１１８  ＬＥＤ
１２０  クロック端子
１２１  データ信号端子
１２２  ストロボ信号端子
１２３  信号入力端子
２０１  ＩＧＢＴ
２０５，２０８，２１１，２１３  トランジスタ
【図１】
0003740209.tif 000002
【図２】
0003740209.tif 000003
【図３】
0003740209.tif 000004
【図４】
0003740209.tif 000005
【図５】
0003740209.tif 000006
【図６】
0003740209.tif 000007
【図７】
0003740209.tif 000008
【図８】
0003740209.tif 000009
【図９】
0003740209.tif 000010
【図１０】
0003740209.tif 000011
【図１１】
0003740209.tif 000012
【図１２】
0003740209.tif 000013